(57)【特許請求の範囲】
【請求項１】
ろ過層及び該ろ過層を囲繞して立設される側壁を有し水を溜めて上記ろ過層により水をろ過して浄水を行う緩速ろ過池の当該ろ過層の表面に形成された不要物を水を溜めた状態で排出して該ろ過層を改質する緩速ろ過池の改質方法において、
上記ろ過層の表面の不要物を削り取るスクレーパを用い、該スクレーパを上記ろ過層の表面に当接する外側面を有した網板状に形成し、該スクレーパをその外側面を上記ろ過層の表面に当接させて移動させ、該ろ過層の表面の不要物を削り取って溜まった水に浮遊させ、上記ろ過池に水を給水するとともに排水口から排水し、該排水される水とともに不要物を排出するようにしたことを特徴とする緩速ろ過池の改質方法。
【請求項２】
上記スクレーパに、該スクレーパを牽引して移動させる索体を係着し、上記ろ過池の側壁上で、上記索体を牽引して該スクレーパを移動させることを特徴とする請求項１記載の緩速ろ過池の改質方法。
【請求項３】
上記ろ過池は、平面から見て矩形のろ過層と、該ろ過層を囲繞して立設される４つの側壁とを備えて構成され、
上記スクレーパに、一方向で相対向する一対の側壁のうち一方の一方側壁に至る一方索体を係着するとともに、他方の他方側壁に至る他方索体を係着し、上記一方側壁から一方索体により上記スクレーパをその外側面を上記ろ過層の表面に当接させて移動させる往動と、上記他方側壁から他方索体により上記スクレーパをその外側面を上記ろ過層の表面に当接させて移動させる復動と、上記スクレーパ，一方索体及び他方索体の位置を上記一方向に直交する他方向に移動させて該スクレーパの外側面の上記ろ過層の表面に対する当接位置を変える位置変え移動とを行って、該スクレーパによる不要物の削り取りを行うようにしたことを特徴とする請求項２記載の緩速ろ過池の改質方法。
【請求項４】
上記スクレーパを、引延し成形により断面矩形状のストランドによって開口を規則的に列設形成した金属製のエキスパンドメタルで構成したことを特徴とする請求項３記載の緩速ろ過池の改質方法。
【請求項５】
上記スクレーパの牽引方向を、上記エキスパンドメタルの引延し方向に沿う方向にしたことを特徴とする請求項４記載の緩速ろ過池の改質方法。
【請求項６】
上記スクレーパの上記エキスパンドメタルの引延し方向に沿って切断した横断面において、該スクレーパの外側面を形成する外側面線に対するストランドの表面のなす鋭角側の傾斜角度をθとしたとき、該スクレーパを、そのストランドの傾斜角度θの鋭角側が牽引方向を向くようにしたことを特徴とする請求項５記載の緩速ろ過池の改質方法。
【請求項７】
上記往動から復動に切換えるとき、若しくは、復動から往動に切換えるとき、上記スクレーパの傾斜角度θの鋭角側が牽引方向を向くように上記索体に対して該スクレーパを反転させることを特徴とする請求項６記載の緩速ろ過池の改質方法。
【請求項８】
ろ過層及び該ろ過層を囲繞して立設される側壁を有し水を溜めて上記ろ過層により水をろ過して浄水を行う緩速ろ過池の当該ろ過層の表面に形成された不要物を水を溜めた状態で排出して該ろ過層を改質する緩速ろ過池の改質システムにおいて、
上記ろ過層の表面の不要物を削り取るスクレーパを備えたスクレーパ装置と、上記ろ過池に水を給水する給水部と、上記ろ過池内の水が流入するように該ろ過池の上部に開口して設けられ流入した水を排出する排水口とを備え、上記スクレーパ装置のスクレーパで削り取った不要物を溜まった水に浮遊させ、該不要物を上記排水口から排水される水とともに排出するようにした緩速ろ過池の改質システムであって、
上記スクレーパ装置のスクレーパを、上記ろ過層の表面に当接する外側面を有した網板状に形成したことを特徴とする緩速ろ過池の改質システム。
【請求項９】
上記スクレーパ装置は、上記スクレーパに係着され上記ろ過池の側壁上で該スクレーパを牽引して移動させるための索体を備えたことを特徴とする請求項８記載の緩速ろ過池の改質システム。
【請求項１０】
上記スクレーパ装置は、上記索体を牽引する牽引機構を備えたことを特徴とする請求項９記載の緩速ろ過池の改質システム。
【請求項１１】
上記スクレーパを、引延し成形により断面矩形状のストランドによって開口を規則的に列設形成した金属製のエキスパンドメタルで構成したことを特徴とする請求項８乃至１０何れかに記載の緩速ろ過池の改質システム。
【請求項１２】
上記スクレーパ装置は、上記スクレーパに係着され上記ろ過池の側壁上で該スクレーパを牽引して移動させるための索体を備え、該索体を、上記スクレーパの牽引方向が上記エキスパンドメタルの引延し方向になるように該スクレーパに係着したことを特徴とする請求項１１記載の緩速ろ過池の改質システム。
【請求項１３】
上記索体を、上記スクレーパの上記エキスパンドメタルの引延し方向に沿って切断した横断面において、該スクレーパの外側面を形成する外側面線に対するストランドの表面のなす鋭角側の傾斜角度をθとしたとき、該スクレーパを、そのストランドの傾斜角度θの鋭角側が牽引方向を向くように係着可能にしたことを特徴とする請求項１２記載の緩速ろ過池の改質システム。
【請求項１４】
上記ろ過池は、平面から見て矩形のろ過層と、該ろ過層を囲繞して立設される４つの側壁とを備えて構成され、
上記索体として、一方向で相対向する一対の側壁のうち一方の一方側壁に至る一方索体と、一方向で相対向する一対の側壁のうち他方の他方側壁に至る他方索体とを備えて構成し、
上記スクレーパ装置は、上記一方索体による牽引時及び他方索体による牽引時に、夫々、上記ストランドの傾斜角度θの鋭角側が牽引方向を向くように該スクレーパを反転可能にした反転機構を備えたことを特徴とする請求項１３記載の緩速ろ過池の改質システム。
【請求項１５】
上記スクレーパ装置は、上記索体を牽引する牽引機構を備え、該牽引機構を、上記一方側壁に設けられ該一方側壁から上記一方索体を牽引して上記スクレーパをその外側面を上記ろ過層の表面に当接させて移動させる往動を行わせる一方ウインチと、上記他方側壁に設けられ該他方側壁から上記他方索体を牽引して上記スクレーパをその外側面を上記ろ過層の表面に当接させて移動させる復動を行わせる他方ウインチとを備えて構成したことを特徴とする請求項１４記載の緩速ろ過池の改質システム。
【請求項１６】
上記スクレーパ装置は、上記一方側壁に設けられ、上記一方ウインチを上記一方向に直交する他方向に沿って移動可能に支持する一方レールと、上記他方側壁に設けられ、上記他方ウインチを上記一方向に直交する他方向に沿って移動可能に支持する他方レールとを備え、上記スクレーパ，一方索体及び他方索体の位置を上記一方向に直交する他方向に移動させて該スクレーパの外側面の上記ろ過層の表面に対する当接位置を変える位置変え移動を可能にしたことを特徴とする請求項１５記載の緩速ろ過池の改質システム。
【請求項１７】
ろ過層及び該ろ過層を囲繞して立設される側壁を有し水を溜めて上記ろ過層により水をろ過して浄水を行う緩速ろ過池の当該ろ過層の表面に形成された不要物を水を溜めた状態で削り取るスクレーパを備え、該スクレーパで削り取られた不要物を溜まった水に浮遊させ、上記ろ過池から排水される水とともに不要物を排出させるようにして該ろ過層を改質するようにしたスクレーパ装置であって、
上記請求項８乃至１６何れかに記載のスクレーパ装置。
【発明の詳細な説明】
【技術分野】
【０００１】
本発明は、上水道等に用いる水を得るためのろ過層を有した緩速ろ過池を改質する方法及びそのシステムに係り、特に、緩速ろ過池に水を貯留したままの状態でろ過層の表面を削り取って改質する緩速ろ過池の改質方法及び緩速ろ過池の改質システムに関する。また、この緩速ろ過池の改質方法及び緩速ろ過池の改質システムに有効に用いることのできるスクレーパ装置に関する。
【背景技術】
【０００２】
一般に、上水道等において使用されている緩速ろ過池は、ろ過層及びこのろ過層を囲繞して立設される側壁を有し水を溜めてろ過層により水をろ過して浄水を行う。ろ過層においては、ろ過砂により水中の懸濁物質をろ過除去するとともに、このろ過に伴ってろ過層の表層に繁殖した生物膜が持つ生物化学的作用によって水中の溶解成分や臭気成分等を除去する機能をもっているため良質のろ過水を得ることができる。  
【０００３】
この緩速ろ過池においては、経時的にろ過層の表面には生物膜等が堆積していくので、不要物が多くなり、徐々に水が通過しにくくなってくることから、定期的に、ろ過池から水を抜いてろ過層の表面の汚砂を削り取って不要物を除去するとともに新しい砂を供給して改質を行っている。汚砂は洗浄して再利用する。ところが、この改質は、逐一水を抜いてから汚砂を除去するので、作業が煩雑で改質効率が悪いという問題があり、そのため、これを解決するために、従来においては、緩速ろ過池から水を抜かないでろ過層の不要物を水を溜めた状態で排出してろ過層を改質する改質方法が提案されている。
【０００４】
従来、この種の水を貯留したままの状態でろ過層の不要物を排出する緩速ろ過池の改質方法としては、例えば、特開昭５８−１７８０４号公報（特許文献１）に掲載された技術が知られている。これは、水面にろ過池外からワイヤで移動操作可能なフロートを浮かべ、このフロートに水中で昇降動自在な砂掻取機を設け、この砂掻取機でろ過層の表面の不要物を汚砂とともに掻取り、掻取った汚砂をフロートに搭載した吸引ポンプにより吸引ホースにより吸引するとともに排出ホースでろ過池外に排出するようにしている。砂掻取機は、電動モータで駆動されるオーガと、オーガの片側を覆うとともに下端縁を不要物を削り取るスクレーパとしたカバーとを備えて構成されている。
【先行技術文献】
【特許文献】
【０００５】
【特許文献１】特開昭５８−１７８０４号公報
【発明の概要】
【発明が解決しようとする課題】
【０００６】
ところで、この従来の緩速ろ過池の改質方法にあっては、緩速ろ過池から逐一水を抜かないでろ過層の表面に形成された不要物を水を溜めた状態で排出できるので、作業性は改善するものの、フロートにモータ駆動の砂掻取機を設けるとともに吸引ホース，吸引ポンプ及び排出ホースを搭載しているので、装置が複雑になっているという問題があった。また、不要物を汚砂とともに排出するので、砂が相当含まれていることから、排出ホースによる排出後の搬送や処理が煩雑になっており、処理効率が悪いという問題があった。更に、ろ過層表面の砂も取り去るので、砂に繁殖した生物を取りすぎることにもなり、有効な生物膜が再び形成されるまでの回復に時間を要してしまうという問題もある。
【０００７】
本発明は、このような問題点に鑑みてなされたもので、装置を簡易にし、砂をできるだけ残すようにして不要物の削り取りができるようにするとともに、不要物の排出を容易にして排出後の不要物処理を容易にし、改質効率の向上を図った緩速ろ過池の改質方法及び緩速ろ過池の改質システムを提供することを目的とする。また、この緩速ろ過池の改質方法及び緩速ろ過池の改質システムに有効な簡易な構造で不要物の削り取りを確実に行うことができるスクレーパ装置を提供することを目的とする。
【課題を解決するための手段】
【０００８】
このような目的を達成するため、本発明の緩速ろ過池の改質方法は、ろ過層及び該ろ過層を囲繞して立設される側壁を有し水を溜めて上記ろ過層により水をろ過して浄水を行う緩速ろ過池の当該ろ過層の表面に形成された不要物を水を溜めた状態で排出して該ろ過層を改質する緩速ろ過池の改質方法において、
上記ろ過層の表面の不要物を削り取るスクレーパを用い、該スクレーパを上記ろ過層の表面に当接する外側面を有した網板状に形成し、該スクレーパをその外側面を上記ろ過層の表面に当接させて移動させ、該ろ過層の表面の不要物を削り取って溜まった水に浮遊させ、上記ろ過池に水を給水するとともに排水口から排水し、該排水される水とともに不要物を排出するようにした構成としている。
【０００９】
これにより、緩速ろ過池を改質するときは、スクレーパをその外側面をろ過層の表面に当接させて移動させる。これにより、ろ過層の表面の不要物が削り取られて溜まった水に浮遊させられる。この場合、スクレーパは網状に形成されているので、網目を形成する部材が移動方向に多数列設されることになり、そのため、ろ過層の表面を繰り返し削ることになることから、ろ過層の表面の不要物を確実に削り取ることができる。また、削り取られた不要物は、スクレーパの網目を通るので、単に、板で削り取る場合に比較して水に浮遊しやすくすることができる。更に、この場合、ろ過層表面の汚砂も多少なりとも削り取られることもあるが、砂は重いので一時的に舞い上がるものの沈降していき、そのため、取り去りたい不要物を浮遊させることができる。ろ過層の表面からは不要物が削り取られるので、ろ過機能が回復する。しかも、多少なりとも削り取られた砂は沈降して残り、生物膜も少しは残るものもあることから、有効な生物膜の回復が早く、生物膜が持つ生物化学的作用も引き続き確保することができる。
【００１０】
そして、ろ過池には、水が給水されて排水口から排水されているので、不要物はこの排水される水とともに排出されていく。そのため、不要物の排出が容易になり、また、砂の処理が不要になるので、排出後の不要物処理が極めて容易になり、それだけ、改質効率の向上を図ることができる。このように、網板状のスクレーパを移動させるだけでろ過層の改質を行うことができるので、装置も簡易にすることができる。
【００１１】
そして、必要に応じ、上記スクレーパに、該スクレーパを牽引して移動させる索体を係着し、上記ろ過池の側壁上で、上記索体を牽引して該スクレーパを移動させる構成としている。索体の牽引は、例えば、ウインチなどの機械を用いて行い、あるいは、人手で行うことができる。索体を用いるのでスクレーパの移動を容易に行うことができる。また、側壁上で索体を牽引するので、操作も容易になる。この場合、索体の牽引力によっては、スクレーパが浮き上がろうとするが、可能な限り浮き上がらないように、スクレーパをその外側面をろ過層の表面に当接させて移動させるようにする。スクレーパの牽引方向前端が浮き上がったり接地したりして、多少上下動することがあっても差支えない。
【００１２】
また、必要に応じ、上記ろ過池は、平面から見て矩形のろ過層と、該ろ過層を囲繞して立設される４つの側壁とを備えて構成され、
上記スクレーパに、一方向で相対向する一対の側壁のうち一方の一方側壁に至る一方索体を係着するとともに、他方の他方側壁に至る他方索体を係着し、上記一方側壁から一方索体により上記スクレーパをその外側面を上記ろ過層の表面に当接させて移動させる往動と、上記他方側壁から他方索体により上記スクレーパをその外側面を上記ろ過層の表面に当接させて移動させる復動と、上記スクレーパ，一方索体及び他方索体の位置を上記一方向に直交する他方向に移動させて該スクレーパの外側面の上記ろ過層の表面に対する当接位置を変える位置変え移動とを行って、該スクレーパによる不要物の削り取りを行うようにした構成としている。これにより、一方向で相対向する側壁間で、他方向にスクレーパ，一方索体及び他方索体の位置を順次変えながら、一方索体及び他方索体を交互に牽引してスクレーパを往復動させることにより、ろ過層の表面を満遍なく削り取ることができ、そのため、簡単な作業でろ過層の改質を行うことができるので、改質効率の向上を図ることができる。
【００１３】
更に、必要に応じ、上記スクレーパを、引延し成形により断面矩形状のストランドによって開口を規則的に列設形成した金属製のエキスパンドメタルで構成している。エキスパンドメタルは、金属板に、所定幅の切れ目を所定ピッチＰで形成した切れ目の列を、隣接する切れ目の列同士の切れ目が（１／２）Ｐ位相がずれるように列設し、この金属板を切れ目の方向に対して垂直方向に引延すことによって、切れ目の部分に網目である開口を形成した周知のものである。開口は、扁平のひし形，扁平の六角形あるいは正四角形等に形成される。このエキスパンドメタルは比較的重いので、外側面をろ過層の表面に当接しやすくすることができるとともに、網目である開口を構成する部材が、断面矩形状のストランドなので、ストランドのエッジにより不要物を削り取ることができ、そのため、削り取りを確実に行うことができる。
【００１４】
更にまた、必要に応じ、上記スクレーパの牽引方向を、上記エキスパンドメタルの引延し方向に沿う方向にした構成としている。牽引方向に直交する方向のストランドのエッジの連続性がよいことから、確実に不要物を削り取ることができる。特に、スクレーパの網目である開口が扁平状のものでは、引延し方向が開口の短手方向になっているので、開口の長手方向のストランドが主にろ過層の表面を削り取ることになり、そのため、長手方向のストランドは短手方向に比較して、エッジの開きが大きいことから、確実に不要物を削り取ることができる。
【００１５】
また、必要に応じ、上記スクレーパの上記エキスパンドメタルの引延し方向に沿って切断した横断面において、該スクレーパの外側面を形成する外側面線に対するストランドの表面のなす鋭角側の傾斜角度をθとしたとき、該スクレーパを、そのストランドの傾斜角度θの鋭角側が牽引方向を向くようにした構成としている。鋭角側が牽引方向を向くので、鈍角側に比較してストランドのエッジがろ過層の表面に食い込む抵抗が小さくなることから、移動を円滑に行わせることができる。特に、牽引を人手で行う場合には負担が軽減されて好ましい。
【００１６】
更に、必要に応じ、上記往動から復動に切換えるとき、若しくは、復動から往動に切換えるとき、上記スクレーパの傾斜角度θの鋭角側が牽引方向を向くように上記索体に対して該スクレーパを反転させる構成としている。反転は、スクレーパの外側面に直交する軸線を中心に回転させる方向反転、スクレーパをそのエキスパンドメタルの引延し方向に沿う軸線を中心に回転させる表裏反転があり、索体の結着の仕方に応じて選択することができる。これにより、索体の向きを変えることなくスクレーパの向きや表裏を変えるだけで、スクレーパの傾斜角度θの鋭角側を牽引方向に向くようにできるので、操作を容易に行うことができる。
【００１７】
また、上記目的を達成するための本発明の緩速ろ過池の改質システムは、ろ過層及び該ろ過層を囲繞して立設される側壁を有し水を溜めて上記ろ過層により水をろ過して浄水を行う緩速ろ過池の当該ろ過層の表面に形成された不要物を水を溜めた状態で排出して該ろ過層を改質する緩速ろ過池の改質システムにおいて、
上記ろ過層の表面の不要物を削り取るスクレーパを備えたスクレーパ装置と、上記ろ過池に水を給水する給水部と、上記ろ過池内の水が流入するように該ろ過池の上部に開口して設けられ流入した水を排出する排水口とを備え、上記スクレーパ装置のスクレーパで削り取った不要物を溜まった水に浮遊させ、該不要物を上記排水口から排水される水とともに排出するようにした緩速ろ過池の改質システムであって、
上記スクレーパ装置のスクレーパを、上記ろ過層の表面に当接する外側面を有した網板状に形成した構成としている。
【００１８】
これにより、緩速ろ過池を改質するときは、スクレーパ装置のスクレーパをその外側面をろ過層の表面に当接させて移動させる。これにより、ろ過層の表面の不要物が削り取られて溜まった水に浮遊させられる。この場合、スクレーパは網状に形成されているので、網目を形成する部材が移動方向に多数列設されることになり、そのため、ろ過層の表面を繰り返し削ることになることから、ろ過層の表面の不要物を確実に削り取ることができる。また、削り取られた不要物は、スクレーパの網目を通るので、単に、板で削り取る場合に比較して水に浮遊しやすくすることができる。更に、この場合、ろ過層表面の汚砂も多少なりとも削り取られることもあるが、砂は重いので一時的に舞い上がるものの沈降していき、そのため、取り去りたい不要物を浮遊させることができる。ろ過層の表面からは不要物が削り取られるので、ろ過機能が回復する。しかも、多少なりとも削り取られた砂は沈降して残り、生物膜も少しは残るものもあることから、有効な生物膜の回復が早く、生物膜が持つ生物化学的作用も引き続き確保することができる。
【００１９】
そして、ろ過池には、給水部から水が給水され排水口から排水されているので、不要物はこの排水される水とともに排出されていく。そのため、不要物の排出が容易になり、また、砂の処理が不要になるので、排出後の不要物処理が極めて容易になり、それだけ、改質効率の向上を図ることができる。このように、スクレーパ装置の網板状のスクレーパを移動させるだけでろ過層の改質を行うことができるので、システム全体を簡易にすることができる。
【００２０】
そして、必要に応じ、上記スクレーパ装置は、上記スクレーパに係着され上記ろ過池の側壁上で該スクレーパを牽引して移動させるための索体を備えた構成としている。索体の牽引は、例えば、ウインチなどの機械を用いて行い、あるいは、人手で行うことができる。索体を用いるのでスクレーパの移動を容易に行うことができる。また、側壁上で索体を牽引するので、操作も容易になる。この場合、索体の牽引力によっては、スクレーパが浮き上がろうとするが、可能な限り浮き上がらないように、スクレーパをその外側面をろ過層の表面に当接させて移動させるようにする。スクレーパの牽引方向前端が浮き上がったり接地したりして、多少上下動することがあっても差支えない。
【００２１】
また、必要に応じ、上記スクレーパ装置は、上記索体を牽引する牽引機構を備えた構成としている。牽引機構により牽引するので、牽引を容易に行うことができる。
【００２２】
更に、必要に応じ、上記スクレーパを、引延し成形により断面矩形状のストランドによって開口を規則的に列設形成した金属製のエキスパンドメタルで構成している。エキスパンドメタルは、金属板に、所定幅の切れ目を所定ピッチＰで形成した切れ目の列を、隣接する切れ目の列同士の切れ目が（１／２）Ｐ位相がずれるように列設し、この金属板を切れ目の方向に対して垂直方向に引延すことによって、切れ目の部分に網目である開口を形成した周知のものである。開口は、扁平のひし形，扁平の六角形あるいは正四角形等に形成される。このエキスパンドメタルは比較的重いので、外側面をろ過層の表面に当接しやすくすることができるとともに、網目である開口を構成する部材が、断面矩形状のストランドなので、ストランドのエッジにより不要物を削り取ることができ、そのため、削り取りを確実に行うことができる。
【００２３】
更にまた、必要に応じ、上記スクレーパ装置は、上記スクレーパに係着され上記ろ過池の側壁上で該スクレーパを牽引して移動させるための索体を備え、該索体を、上記スクレーパの牽引方向が上記エキスパンドメタルの引延し方向になるように該スクレーパに係着した構成としている。牽引方向に直交する方向のストランドのエッジの連続性がよいことから、確実に不要物を削り取ることができる。特に、スクレーパの網目である開口が扁平状のものでは、引延し方向が開口の短手方向になっているので、開口の長手方向のストランドが主にろ過層の表面を削り取ることになり、そのため、長手方向のストランドは短手方向に比較して、エッジの開きが大きいことから、確実に不要物を削り取ることができる。
【００２４】
この場合、上記索体を、上記スクレーパの上記エキスパンドメタルの引延し方向に沿って切断した横断面において、該スクレーパの外側面を形成する外側面線に対するストランドの表面のなす鋭角側の傾斜角度をθとしたとき、該スクレーパを、そのストランドの傾斜角度θの鋭角側が牽引方向を向くように係着可能にしたことが有効である。ストランドの鋭角側が牽引方向を向くので、鈍角側に比較してストランドのエッジがろ過層の表面に食い込む抵抗が小さくなることから、移動を円滑に行わせることができる。特に、牽引を人手で行う場合には負担が軽減されて好ましい。
【００２５】
また、必要に応じ、上記ろ過池は、平面から見て矩形のろ過層と、該ろ過層を囲繞して立設される４つの側壁とを備えて構成され、
上記索体として、一方向で相対向する一対の側壁のうち一方の一方側壁に至る一方索体と、一方向で相対向する一対の側壁のうち他方の他方側壁に至る他方索体とを備えて構成し、
上記スクレーパ装置は、上記一方索体による牽引時及び他方索体による牽引時に、夫々、上記ストランドの傾斜角度θの鋭角側が牽引方向を向くように該スクレーパを反転可能にした反転機構を備えた構成としている。反転は、スクレーパの外側面に直交する軸線を中心に回転させる方向反転、スクレーパをそのエキスパンドメタルの引延し方向に沿う軸線を中心に回転させる表裏反転があり、反転機構は、索体の結着の仕方に応じてスクレーパを方向反転可能あるいは表裏反転可能に構成する。
【００２６】
これにより、一方索体によりスクレーパを牽引し、他方索体によりスクレーパを牽引してスクレーパを往復動させてろ過層の表面を削る。この場合、適時に、スクレーパ，一方索体及び他方索体の位置を一方向に直交する他方向に移動させて、スクレーパの外側面のろ過層の表面に対する当接位置を変える位置変え移動を行ないながら、往動及び復動を行う。この場合、反転機構により、ストランドの傾斜角度θの鋭角側が牽引方向を向くようにスクレーパを反転させることができるので、即ち、索体の向きを変えることなくスクレーパの向きや表裏を変えるだけで、スクレーパの傾斜角度θの鋭角側を牽引方向に向くようにでき、操作を容易に行うことができる。そのため、スクレーパの移動を円滑に行いながら、ろ過層の表面を満遍なく削り取ることができることから、作業効率を向上させることができる。
【００２７】
この場合、上記スクレーパ装置は、上記索体を牽引する牽引機構を備え、該牽引機構を、上記一方側壁に設けられ該一方側壁から上記一方索体を牽引して上記スクレーパをその外側面を上記ろ過層の表面に当接させて移動させる往動を行わせる一方ウインチと、上記他方側壁に設けられ該他方側壁から上記他方索体を牽引して上記スクレーパをその外側面を上記ろ過層の表面に当接させて移動させる復動を行わせる他方ウインチとを備えて構成したことが有効である。この場合、ウインチの牽引力を、牽引によってスクレーパの牽引側ができるだけ浮き上がらないように設定する。スクレーパの牽引方向前端が浮き上がったり接地したりして、多少上下動することがあっても差支えない。スクレーパがその外側面をろ過層の表面に当接させながら移動できるので、削り取り効率が極めて良くなる。これにより、一方ウインチにより、一方側壁から一方索体によりスクレーパをその外側面をろ過層の表面に当接させて移動させる往動を行い、他方ウインチにより、他方側壁から他方索体によりスクレーパをその外側面をろ過層の表面に当接させて移動させる復動を行うので、牽引が容易になり、操作性を向上させ作業性を大幅に向上させることができる。
【００２８】
また、この場合、上記スクレーパ装置は、上記一方側壁に設けられ、上記一方ウインチを上記一方向に直交する他方向に沿って移動可能に支持する一方レールと、上記他方側壁に設けられ、上記他方ウインチを上記一方向に直交する他方向に沿って移動可能に支持する他方レールとを備え、上記スクレーパ，一方索体及び他方索体の位置を上記一方向に直交する他方向に移動させて該スクレーパの外側面の上記ろ過層の表面に対する当接位置を変える位置変え移動を可能にした構成としたことが有効である。これにより、一方ウインチ及び他方ウインチの他方向への位置変え移動が容易になり、それだけ、操作性を向上させ作業性を大幅に向上させることができる。
【００２９】
そして、上記目的を達成するためのスクレーパ装置は、ろ過層及び該ろ過層を囲繞して立設される側壁を有し水を溜めて上記ろ過層により水をろ過して浄水を行う緩速ろ過池の当該ろ過層の表面に形成された不要物を水を溜めた状態で削り取るスクレーパを備え、該スクレーパで削り取られた不要物を溜まった水に浮遊させ、上記ろ過池から排水される水とともに不要物を排出させるようにして該ろ過層を改質するようにしたスクレーパ装置であって、上記記載のスクレーパ装置にある。上記と同様の作用，効果を奏する。
【発明の効果】
【００３０】
本発明の緩速ろ過池の改質方法及び緩速ろ過池の改質システムによれば、装置を簡易にし、砂をできるだけ残すようにして不要物の削り取りができ、不要物の排出を容易にして排出後の不要物処理を容易にし、改質効率の向上を図ることができる。また、本発明のスクレーパ装置によれば、この緩速ろ過池の改質方法及び緩速ろ過池の改質システムに有効な簡易な構造を備え、不要物の削り取りを確実に行うことができる。
【図面の簡単な説明】
【００３１】
【図１】本発明の実施の形態に係る緩速ろ過池の改質方法及び改質システムを示す平面図である。
【図２】本発明の実施の形態に係る緩速ろ過池の改質システムに用いられる本発明の実施の形態に係るスクレーパ装置において、スクレーパを含む主要構成をスクレーパを往動させるときの状態で示す斜視図である。
【図３】本発明の実施の形態に係る緩速ろ過池の改質システムに用いられる本発明の実施の形態に係るスクレーパ装置において、スクレーパを含む主要構成をスクレーパを復動させるときの状態で示す斜視図である。
【図４】本発明の実施の形態に係るスクレーパ装置のスクレーパを構成するエキスパンドメタルをその牽引方向Ｒとの関係で示す横断面図である。
【図５】本発明の実施の形態に係るスクレーパ装置のクレーパを構成するエキスパンドメタル構造を示し、（ａ）は要部平面図、（ｂ）その横断面図である。
【図６】本発明の実施の形態に係るスクレーパ装置において、索体を結着させた反転機構の構成を示す図である。
【図７】本発明の実施の形態に係るスクレーパ装置において、スクレーパの作用を示す図である。
【図８】本発明の別の実施の形態に係る緩速ろ過池の改質方法及び改質システムを示す平面図である。
【図９】本発明の別の実施の形態に係るスクレーパ装置を示す要部斜視図である。
【発明を実施するための形態】
【００３２】
以下、添付図面に基づいて本発明の実施の形態に係る緩速ろ過池の改質方法，緩速ろ過池の改質システム及びスクレーパ装置について詳細に説明する。尚、本発明の実施の形態に係る緩速ろ過池の改質方法は、本発明の実施の形態に係る緩速ろ過池の改質システムによって実現されるので、本改質システムの作用において説明する。また、本発明の実施の形態に係るスクレーパ装置は、本発明の実施の形態に係る緩速ろ過池の改質システムに用いられるので、本改質システムにおいて説明する。
【００３３】
図１に示すように、本発明の実施の形態に係る緩速ろ過池の改質システムＫは、緩速ろ過池１に用いられる。緩速ろ過池１は、表面側にろ過砂を積層したろ過層２及びろ過層２を囲繞して立設される側壁３を有して構成され、水を溜めてろ過層２により水をろ過して浄水を行う周知のものである。ろ過層２においては、水中の懸濁物質をろ過除去するとともに、このろ過に伴ってろ過層２の表層に繁殖した生物膜が持つ生物化学的作用によって水中の溶解成分や臭気成分を除去する機能をもっている。しかし、経時的にろ過層２の表面には生物膜等が堆積していくので、不要物Ｆ（図７）が多くなり、徐々に水が通過しにくくなってくることから、定期的に、不要物Ｆを除去する。
【００３４】
本ろ過池の改質システムＫは、この緩速ろ過池１のろ過層２の表面に形成された不要物Ｆを水を溜めた状態で排出してろ過層２を改質するものである。ろ過池１は、図１に示すように、平面から見て矩形のろ過層２と、ろ過層２を囲繞して立設される４つの側壁３（３ａ，３ｂ，３ｃ，３ｄ）とを備えて構成されている。ろ過池１の大きさは、例えば、横２９．４ｍ、縦３６．９ｍ（ろ過層面積１０７５ｍ2）、水深約９００ｍｍの大きさである。ろ過池１の大きさはこれに限定されるものではない。図１においては、ろ過池１が複数連設されているものを示す。
【００３５】
本ろ過池１の改質システムＫは、図１に示すように、ろ過層２の表面の不要物Ｆを削り取るスクレーパ１０を備えたスクレーパ装置Ｓと、ろ過池１に水を給水する給水部１１と、ろ過池１内の水が流入するようにろ過池１の上部に開口して設けられ流入した水を排出する排水口１２とを備え、スクレーパ装置Ｓのスクレーパ１０で削り取った不要物Ｆを溜まった水に浮遊させ（図７）、この不要物Ｆを排水口１２から排水される水とともに排出するようにしている。給水部１１からは、例えば、１００ｍ3／ｈｒの例えば前処理した川の水が供給される。排水口１２は、例えば、排水をろ過池１の外部に導く排水管（図示せず）の開口で形成されており、ろ過池１の１つのコーナ部に１つ設けられ、あるいは、２以上のコーナ部に夫々１ずつ複数設けられる（図１では２つ設けた場合を示す）。排水口１２の直径は例えば２００ｍｍに設定される。
【００３６】
実施の形態に係るスクレーパ装置Ｓは、図１乃至図７に示すように、スクレーパ１０を備えており、このスクレーパ１０は、ろ過層２の表面に当接する外側面１３を有した網板状に形成されている。詳しくは、スクレーパ１０は、全体矩形状に形成されており、図２乃至図４に示すように、引延し成形により断面矩形状のストランド１４によって開口１５を規則的に列設形成した金属製のエキスパンドメタル１６で構成されている。エキスパンドメタル１６は、鉄，これに亜鉛メッキを施したもの，ステンレス鋼等の金属製であり、金属板に、所定幅の切れ目を所定ピッチＰで形成した切れ目の列を、隣接する切れ目の列同士の切れ目が（１／２）Ｐ位相がずれるように列設し、この金属板を切れ目の方向に対して垂直方向に引延ばすことによって、切れ目の部分に網目である開口１５を形成した周知のものである。開口１５は、扁平のひし形，扁平の六角形あるいは正四角形等に形成される。
【００３７】
実施の形態では、例えば、ステンレス鋼で形成され、開口１５を扁平の菱形状に形成した所謂Ｓタイプのものが用いられる、例えば、ＪＩＳ規格のＸＳ４３（短手方向の開口寸法ＳＷが２２ｍｍ，長手方向の開口寸法ＬＷが５０．８ｍｍ、ストランド寸法の厚さＴが３．２ｍｍ、幅Ｗが３．５ｍｍ、全厚さＤが７．７ｍｍ、単位重量が８Ｋｇ／ｍ2 、開口率６６％）のものが用いられる。また、全体の縦寸法（短手方向寸法）Ｌａが９１４ｍｍ、全体の横寸法（長手方向寸法）Ｌｂが１８２９ｍｍのものが用いられる。エキスパンドメタル１６は、これに限定されるものではなく、適宜の規格のものを選択することができる。
エキスパンドメタル１６は、比較的重いので、外側面１３をろ過層２の表面に当接しやすくすることができるとともに、網目である開口１５を構成する部材が、断面矩形状のストランド１４なので、ストランド１４のエッジにより不要物Ｆを削り取ることができ、そのため、削り取りを確実に行うことができる。
【００３８】
また、スクレーパ装置Ｓは、スクレーパ１０に係着されろ過池１の側壁３上でスクレーパ１０を牽引して移動させるための索体２０を備えて構成されている。索体２０は、例えば、ロープで構成されている。索体２０は、スクレーパ１０の牽引方向がエキスパンドメタル１６の引延し方向になるように、スクレーパ１０に係着されている。また、索体２０は、図４に示すように、スクレーパ１０のエキスパンドメタル１６の引延し方向に沿って切断した横断面において、スクレーパ１０の外側面１３を形成する外側面線に対するストランド１４の表面のなす鋭角側の傾斜角度をθとしたとき、スクレーパ１０を、そのストランド１４の傾斜角度θの鋭角側が牽引方向Ｒを向くように係着可能になっている。
【００３９】
詳しくは、図１，図２，図３，図６及び図７に示すように、索体２０は、一方向Ｘで相対向する一対の側壁３のうち一方の一方側壁３（３ａ）に至る一方索体２１と、一方向Ｘで相対向する一対の側壁３のうち他方の他方側壁３（３ｂ）に至る他方索体２２とを備えて構成されている。そして、スクレーパ装置Ｓには、一方索体２１による牽引時及び他方索体２２による牽引時に、夫々、ストランド１４の傾斜角度θの鋭角側が牽引方向Ｒを向くように、スクレーパ１０を反転可能にした反転機構３０が備えられている。より具体的には、索体２０として、一方索体２１及び他方索体２２のスクレーパ１０側の端部に連結されるとともに反転機構３０を介してスクレーパ１０に結着される結着索体２３が備えられている。結着索体２３は、その両端部が夫々スクレーパ１０の牽引方向の一端縁１０ａの両側端に夫々結着され、中央が反転機構３０に係止されている。
【００４０】
反転機構３０は、スクレーパ１０の外側面１３に直交する軸線Ｑ１を中心に回転させる方向反転を行わせるもので、図６に示すように、軸３１とこの軸３１に回動可能に設けられる一対の軸受け部３２，３３とからなる所謂スーベルジョイントで構成されており、一方索体２１及び他方索体２２のスクレーパ１０側の端部が一方の軸受け部３２に設けたリング状部３４に結着され、結着索体２３の中央が他方の軸受け部３３に設けたリング状部３５に係止されている。一方軸受け部３２に対して他方軸受け部３３を１８０°回動させることにより、ストランド１４の傾斜角度θの鋭角側が牽引方向Ｒを向くように、スクレーパ１０の向きを反転させることができる。実施の形態では、この反転は人手で行う。また、結着索体２３は、Ｖ字状になって一方索体２１あるいは他方索体２２で牽引されるので、牽引の際には、スクレーパ１０の向きをストランド１４の傾斜角度θの鋭角側が牽引方向を向くようにすることができる。
【００４１】
更に、スクレーパ装置Ｓは、索体２０を牽引する牽引機構４０を備えている。この牽引機構４０は、一方側壁３（３ａ）に設けられ一方側壁３（３ａ）から一方索体２１を牽引してスクレーパ１０をその外側面１３をろ過層２の表面に当接させて移動させる往動を行わせる電動の一方ウインチ４１と、他方側壁３（３ｂ）に設けられ他方側壁３（３ｂ）から他方索体２２を牽引してスクレーパ１０をその外側面１３をろ過層２の表面に当接させて移動させる復動を行わせる電動の他方ウインチ４２とを備えて構成されている。この一方ウインチ４１及び他方ウインチ４２においては、図７に示すように、これらの牽引力を、スクレーパ１０が牽引によって牽引側が浮き上がらないように設定している。スクレーパ１０の牽引方向前端が浮き上がったり接地したりして、多少上下動することがあっても差支えない。
【００４２】
更にまた、スクレーパ装置Ｓは、一方側壁３（３ａ）に設けられ、一方ウインチ４１を一方向Ｘに直交する他方向Ｙに沿って移動可能に支持する一方レール４３と、他方側壁３（３ｂ）に設けられ、他方ウインチ４２を一方向Ｘに直交する他方向Ｙに沿って移動可能に支持する他方レール４４とを備えて構成されている。
【００４３】
従って、この実施の形態に係る緩速ろ過池１の改質システムＫによって、改質を行うときは、図１に示すように、先ず、スクレーパ装置Ｓのスクレーパ１０を、例えば、他方側壁３（３ｂ）側であって、他方向Ｙに対面する側壁３のいずれか一方側、例えば、側壁３（３ｃ）側に位置させる。この場合、スクレーパ１０の向きを、ストランド１４の傾斜角度θの鋭角側が一方索体２１が牽引する牽引方向に向くようにする。また、給水部１１から給水を行い、排水口１２から水を排出させる。この状態で、一方ウインチ４１を作動させ、一方索体２１を牽引する。これにより、スクレーパ１０によりろ過層２の表面の不要物Ｆが削り取られて溜まった水に浮遊させられていく。
【００４４】
一方ウインチ４１の牽引によりスクレーパ１０が一方側壁３に至ったならば、一方ウインチ４１の作動を停止する。そして、反転機構３０により、人手でスクレーパ１０を反転させ、今度は、スクレーパ１０の向きを、ストランド１４の傾斜角度θの鋭角側が他方索体２２が牽引する牽引方向に向くようにする。また、一方ウインチ４１を他方向Ｙに対面する側壁３のいずれか他方側、図１では側壁３（３ｄ）側に一方レール４３上で移動させるとともに、他方ウインチ４２を他方向Ｙに対面する側壁３のいずれか他方側、図１では側壁３（３ｄ）側に他方レール４４上で移動させ、スクレーパ１０を、削りが行われていないろ過層２の表面に移動させる。このスクレーパ１０の移動は、スクレーパ１０の長手方向寸法より僅かに短い距離分行う。
【００４５】
この状態で、今度は、他方ウインチ４２を作動させ、他方索体２２を牽引する。これにより、スクレーパ１０によりろ過層２の表面の不要物Ｆが削り取られて溜まった水に浮遊させられていく。他方ウインチ４２の牽引によりスクレーパ１０が他方側壁３（３ｂ）に至ったならば、他方ウインチ４２の作動を停止する。そして、反転機構３０により、人手でスクレーパ１０を反転させ、スクレーパ１０の向きを、ストランド１４の傾斜角度θの鋭角側が一方索体２１が牽引する牽引方向に向くようにする。また、一方ウインチ４１を他方向Ｙに対面する側壁３のいずれか他方側、図１では側壁３（３ｄ）側に一方レール４３上で移動させるとともに、他方ウインチ４２を他方向Ｙに対面する側壁３のいずれか他方側、図１では側壁３（３ｄ）側に他方レール４４上で移動させ、スクレーパ１０を、削りが行われていないろ過層２の表面に移動させる。このスクレーパ１０の移動は、スクレーパ１０の長手方向寸法より僅かに短い距離分行う。そして、上記と同様に、一方ウインチ４１を作動させ、一方索体２１を牽引する。
【００４６】
このようにして、順次、帯状にろ過層２の表面をスクレーパ１０で削り取っていく。他方向Ｙに対面する側壁３のいずれか他方側まで、図１では側壁３（３ｄ）側までスクレーパ１０による削りを行ったならば終了する。必要に応じ、一度削り取ったろ過層２の表面を、２度，３度と繰り返し削るようにしてもよく、削りの回数は適宜数行ってよい。
【００４７】
この場合、図７に示すように、スクレーパ１０はエキスパンドメタル１６で網状に形成されているので、網目（開口１５）を形成する部材が移動方向に多数列設されることになり、そのため、ろ過層２の表面を繰り返し削ることになることから、ろ過層２の表面の不要物Ｆを確実に削り取ることができる。また、削り取られた不要物Ｆは、スクレーパ１０の網目（開口１５）を通るので、単に、板で削り取る場合に比較して水に浮遊しやすくすることができる。更に、この場合、ろ過層２表面の汚砂も多少なりとも削り取られることもあるが、砂は重いので一時的に舞い上がるものの沈降していき、そのため、取り去りたい不要物Ｆを浮遊させることができる。ろ過層２の表面からは不要物Ｆが削り取られるので、ろ過層２のろ過機能が回復する。しかも、多少なりとも削り取られた砂は沈降して残り、生物膜も少しは残るものもあることから、有効な生物膜の回復が早く、生物膜が持つ生物化学的作用も引き続き確保することができる。
【００４８】
また、スクレーパ１０の移動は、索体２０を用いるのでスクレーパ１０の移動を容易に行うことができる。また、側壁３上で索体２０を牽引するので、操作も容易になる。牽引機構４０により牽引するので、牽引を容易に行うことができる。更に、一方ウインチ４１及び他方ウインチ４２により索体２０を牽引するので、牽引が容易になり、操作性を向上させ作業性を大幅に向上させることができる。更にまた、一方ウインチ４１及び他方ウインチ４２の他方向Ｙへの位置変え移動を、一方レール４３及び他方レール４４上で行うので、移動が容易になり、それだけ、操作性を向上させ作業性を大幅に向上させることができる。
【００４９】
そしてまた、ろ過層２の表面の不要物Ｆの削り取りにあっては、スクレーパ１０として、エキスパンドメタル１６を用いており、このエキスパンドメタル１６は比較的重いので、外側面１３をろ過層２の表面に当接しやすくすることができるとともに、網目である開口１５を構成する部材が、断面矩形状のストランド１４なので、ストランド１４のエッジにより不要物Ｆを削り取ることができ、そのため、削り取りを確実に行うことができる。また、スクレーパ１０の牽引方向Ｒがエキスパンドメタル１６の引延し方向になるようにしているので、牽引方向Ｒに直交する方向のストランド１４のエッジの連続性がよいことから、確実に不要物を削り取ることができる。特に、スクレーパ１０の網目である開口１５が扁平状なので、引延し方向が開口１５の短手方向になっており、そのため、開口１５の長手方向のストランド１４が主にろ過層２の表面を削り取ることになり、長手方向のストランド１４は短手方向に比較して、エッジの開きが大きいことから、確実に不要物を削り取ることができる。
【００５０】
しかも、スクレーパ１０においては、そのストランド１４の傾斜角度θの鋭角側が牽引方向を向くので、鈍角側に比較してストランド１４のエッジがろ過層２の表面に食い込む抵抗が小さくなることから、移動を円滑に行わせることができる。この場合、反転機構３０により、ストランド１４の傾斜角度θの鋭角側が牽引方向を向くようにスクレーパ１０の向きを反転可能にしたので、索体２０の向きを変えることなくスクレーパ１０の向きを変えるだけで、スクレーパ１０の傾斜角度θの鋭角側を牽引方向に向くようにできるので、操作を容易に行うことができる。そのため、確実にスクレーパ１０の移動を円滑に行うことができるとともに、ろ過層２の表面を満遍なく削り取ることができることから、作業効率を向上させることができる。
【００５１】
更に、一方ウインチ４１により、一方索体２１を介してスクレーパ１０をその外側面１３をろ過層２の表面に当接させて移動させる往動を行い、他方ウインチ４２により、他方索体２２を介してスクレーパ１０をその外側面１３をろ過層２の表面に当接させて移動させる復動を行うので、削り取り効率が極めて良くなる。また、ウインチ４１,４２により、牽引が容易になり、操作性を向上させ作業性を大幅に向上させることができる。
【００５２】
そして、ろ過池１には、給水部１１から水が給水され排水口１２から排水されているので、不要物Ｆはこの排水される水とともに排出されていく。そのため、不要物Ｆの排出が容易になり、また、排出後の砂の処理が不要になるので、不要物処理が極めて容易になり、それだけ、改質効率の向上を図ることができる。このように、スクレーパ装置Ｓの網板状のスクレーパ１０を移動させるだけでろ過層２の改質を行うことができるので、システム全体を簡易にすることができる。
【００５３】
即ち、一方側壁３から一方索体２１によりスクレーパ１０をその外側面１３をろ過層２の表面に当接させて移動させる往動と、他方側壁３から他方索体２２によりスクレーパ１０をその外側面１３をろ過層２の表面に当接させて移動させる復動と、スクレーパ１０，一方索体２１及び他方索体２２の位置を一方向Ｘに直交する他方向Ｙに移動させてスクレーパ１０の外側面１３のろ過層２の表面に対する当接位置を変える位置変え移動とを行って、スクレーパ１０による不要物Ｆの削り取りを行うことから、ろ過層２の表面を満遍なく削り取ることができ、その削り取った不要物Ｆは、水の流れで排出できるので、そのため、簡単な作業でろ過層２の改質を行うことができ、改質効率の向上を図ることができる。
【００５４】
図８には、本発明の別の実施の形態に係る緩速ろ過池１の改質方法及び改質システムＫを示している。これは、上記と異なって、牽引機構４０がなく、索体２０の牽引，スクレーパ１０の反転及びスクレーパ１０の他方向Ｙへの移動を人手で行うようにしている。一方側壁３（３ａ）と他方側壁３（３ｂ）に適宜作業員を配置して行う。この場合にも、一方側壁３（３ａ）から一方索体２１によりスクレーパ１０をその外側面１３をろ過層２の表面に当接させて移動させる往動と、他方側壁３（３ｂ）から他方索体２２によりスクレーパ１０をその外側面１３をろ過層２の表面に当接させて移動させる復動と、スクレーパ１０，一方索体２１及び他方索体２２の位置を一方向Ｘに直交する他方向Ｙに移動させてスクレーパ１０の外側面１３のろ過層２の表面に対する当接位置を変える位置変え移動とを行って、スクレーパ１０による不要物Ｆの削り取りを行うことから、ろ過層２の表面を満遍なく削り取ることができ、その削り取った不要物Ｆは、水の流れで排出できるので、そのため、簡単な作業でろ過層２の改質を行うことができ、改質効率の向上を図ることができる。他の作用，効果は上記と同様である。
【００５５】
図９には、本発明の別の実施の形態に係るスクレーパ装置Ｓを示している。このスクレーパ装置Ｓは、スクレーパ１０としては上記と同様のエキスパンドメタル１６を用いているが、索体２０及び反転機構３０の構成が異なっている。索体２０は、一方向Ｘで相対向する一対の側壁３のうち一方の一方側壁３（３ａ）に至る一方索体２１と、一方向Ｘで相対向する一対の側壁３のうち他方の他方側壁３（３ｂ）に至る他方索体２２と、一方索体２１のスクレーパ１０側の端部に連結されるとともに後述の反転機構３０の一方部材３７を介してスクレーパ１０の一端縁１０ａに結着される一方結着索体２５と、他方索体２２のスクレーパ１０側の端部に連結されるとともに後述の反転機構３０の他方部材３８を介してスクレーパ１０の他端縁１０ｂに結着される他方結着索体２６とを備えて構成されている。一方結着索体２５は、その両端部がスクレーパ１０の牽引方向の一端縁１０ａの両側端に夫々結着され、中央が反転機構３０の一方部材３７に係止されている。他方結着索体２６は、その両端部がスクレーパ１０の牽引方向の他側縁１０ｂの両側端に夫々結着され、中央が反転機構３０の他方部材３８に係止されている。
【００５６】
反転機構３０は、スクレーパ１０のエキスパンドメタル１６の引延し方向に沿う軸線Ｑ２を中心に回転させる表裏反転を行わせるもので、一方部材３７と他方部材３８とから構成されている。一方部材３７及び他方部材３８は、夫々、図６を参照し、上記の軸３１とこの軸３１に回動可能に設けられる一対の軸受け部３２，３３とからなる所謂スーベルジョイントで構成されている。一方索体２１のスクレーパ１０側の端部が一方部材３７の軸受け部３２に設けたリング状部３４に結着され、一方結着索体２５の中央が他方の軸受け部３３に設けたリング状部３５に係止されている。また、他方索体２２のスクレーパ１０側の端部が他方部材３８の軸受け部３２に設けたリング状部３４に結着され、他方結着索体２６の中央が他方の軸受け部３３に設けたリング状部３５に係止されている。
【００５７】
この反転機構３０においては、人手により、スクレーパ１０を、エキスパンドメタル１６の引延し方向に沿う軸線Ｑ２を中心に回転させる表裏反転を行わせることができる。そして、この反転機構３０を用いた別の実施の形態に係るスクレーパ装置Ｓは、上記と同様に、緩速ろ過池の改質システムＳに用いることができ、上記と同様の作用，効果を生じさせることができる。
【００５８】
尚、上記実施の形態では、索体２０のスクレーパ１０に対する係着は上述した態様に限定されるものではなく、適宜変更して差支えない。また、反転機構３０の構成も上述した構成に限定されるものではなく適宜変更して差支えない。更に、上記実施の形態は、本発明を矩形のろ過層２と４つの側壁３とを備えて構成されるろ過池１に適用したが、必ずしもこれに限定されるものではなく、円形のろ過層などどのような形状のろ過層にも本発明を適用することができることは勿論である。この場合、スクレーパ１０の牽引は、ろ過層の形状に合わせて適宜変更して差支えない。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００５９】
Ｋ  緩速ろ過池の改質システム
１  緩速ろ過池
２  ろ過層
３（３ａ，３ｂ，３ｃ，３ｄ）  側壁
Ｘ  一方向
Ｙ  他方向
Ｆ  不要物
Ｓ  スクレーパ装置
１０  スクレーパ
１０ａ  一端縁
１０ｂ  他端縁
１１  給水部
１２  排水口
１３  外側面
１４  ストランド
１５  開口
１６  エキスパンドメタル
２０  索体
Ｒ  牽引方向
２１  一方索体
２２  他方索体
２３  結着索体
２５  一方結着索体
２６  他方結着索体
３０  反転機構
３１  軸
３２，３３  軸受け部
３４，３５  リング状部
３７  一方部材
３８  他方部材
４０  牽引機構
４１  一方ウインチ
４２  他方ウインチ
４３  一方レール
４４  他方レール
【要約】
【課題】  装置を簡易にし、砂をできるだけ残すようにして不要物の削り取りができるようにするとともに、不要物の排出を容易にして排出後の不要物処理を容易にし、改質効率の向上を図る。
【解決手段】  ろ過層２及び側壁３を有し水を溜めてろ過層２により水をろ過して浄水を行う緩速ろ過池１を改質するもので、ろ過層２の表面の不要物Ｆを削り取るスクレーパ１０を備えたスクレーパ装置Ｓと、ろ過池１に水を給水する給水部１１と、ろ過池１の上部に開口して設けられ流入した水を排出する排水口１２とを備え、スクレーパ装置Ｓのスクレーパ１０で削り取った不要物Ｆを溜まった水に浮遊させ、排水口１２から排水される水とともに排出するようにし、スクレーパ１０を、ろ過層２の表面に当接する外側面を有した網板状のエキスパンドメタル１６で構成した。
【選択図】図１【図１】
0006661047.tif 000002
【図２】
0006661047.tif 000003
【図３】
0006661047.tif 000004
【図４】
0006661047.tif 000005
【図５】
0006661047.tif 000006
【図６】
0006661047.tif 000007
【図７】
0006661047.tif 000008
【図８】
0006661047.tif 000009
【図９】
0006661047.tif 000010